【事件の表示】
　特願２０１２−２４１３７５「遊技機」拒絶査定不服審判事件〔平成２６年　５月１９日出願公開、特開２０１４−　９０７５４〕について、次のとおり審決する。
【結　論】
　本件審判の請求は、成り立たない。
【理　由】
第１　手続の経緯
　本願は、平成２４年１０月３１日の出願であって、平成２８年８月４日付けで拒絶の理由が通知され、平成２８年１０月１１日に意見書及び手続補正書が提出されたところ、平成２９年２月８日付けで拒絶査定がなされ、これに対して、平成２９年５月１５日に拒絶査定不服審判の請求がなされると同時に手続補正がなされたものである。
第２　平成２９年５月１５日付けの手続補正についての補正却下の決定
［補正却下の決定の結論］
　平成２９年５月１５日付けの手続補正（以下「本件補正」という。）を却下する。
［理由］
１　本件補正の概要
　本件補正は、特許請求の範囲の請求項１を補正する内容を含んでおり、本件補正により、特許請求の範囲の請求項１は、平成２８年１０月１１日付けの手続補正書における、
「【請求項１】
　表示領域を有する表示手段と、
　所定の動的表示態様で前記表示手段に動的表示した後、判別結果を示す表示態様で所定の識別情報を停止表示する表示制御手段と、を有し、
　異なる複数の前記識別情報を組み合わせることにより前記判別結果を報知し、前記識別情報の組み合わせが所定の組み合わせとなった場合に遊技者に特典を付与する遊技機において、
　前記所定の組み合わせは、前記特典として第１特典が付与される組み合わせと、前記第１特典よりも遊技者に有利となる第２特典が付与される組み合わせとを含む複数の異なる組み合わせが設定されており、
　前記表示制御手段は、
　第１期間であれば、前記表示領域の第１領域にて前記識別情報を前記所定の動的表示態様で動的表示し、第２期間であれば、前記表示領域の前記第１領域よりも小さい領域である第２領域に前記識別情報に対応する１の図柄列で構成された情報を表示する変更表示制御手段と、
　前記所定の組み合わせの一部を構成する前記識別情報が停止表示または仮停止表示された状態で、他の前記識別情報が動的表示される特殊動的表示態様を表示する動的表示態様表示制御手段と、を有し、
　２以上の異なる前記所定の組み合わせの一部を構成する前記特殊動的表示態様で表示されていた前記識別情報に対応する前記情報を前記第２領域で表示する場合には、前記停止表示または仮停止表示されていた前記２以上の異なる組み合わせの種別が常時識別可能となるように表示されるものであることを特徴とする遊技機。」
から、平成２９年５月１５日付けの手続補正書における、
「【請求項１】
Ａ　表示領域を有する表示手段と、
Ｂ　所定の動的表示態様で前記表示手段に動的表示した後、判別結果を示す表示態様で所定の識別情報を停止表示する表示制御手段と、を有し、
Ｃ　異なる複数の前記識別情報を組み合わせることにより前記判別結果を報知し、前記識別情報の組み合わせが所定の組み合わせとなった場合に遊技者に特典を付与する遊技機において、
Ｄ　前記所定の組み合わせは、前記特典として第１特典が付与される組み合わせと、前記第１特典よりも遊技者に有利となる第２特典が付与される組み合わせとを含む複数の異なる組み合わせが設定されており、
Ｅ　前記表示制御手段は、
　　第１期間であれば、前記表示領域の第１領域にて前記識別情報を前記所定の動的表示態様で動的表示し、第２期間であれば、前記表示領域の前記第１領域よりも小さい領域である第２領域に
それぞれの前記識別情報に対応した前記識別情報よりも小さい図柄を１の図柄列で動的
Ｆ　前記所定の組み合わせの一部を構成する前記識別情報が停止表示または仮停止表示された状態で、他の前記識別情報が動的表示される特殊動的表示態様を表示する動的表示態様表示制御手段と、を有し、
Ｇ　２以上の異なる前記所定の組み合わせの一部を構成する前記特殊動的表示態様で表示されていた前記識別情報に対応する前記
図柄
前記特殊動的表示態様で停止表示または仮停止表示されていたすべての前記識別情報に対応する図柄をそれぞれ停止表示または仮停止表示させて、他の図柄が動的表示された前記１の図柄列が常時視認可能に表示される
に補正された（下線部は補正箇所を示す。また、Ａ〜Ｇは、分説するために当審にて付した。）。
２　補正の適否
　本件補正は、補正前の請求項１に記載した発明を特定するために必要な事項である「第２期間であれば、前記表示領域の前記第１領域よりも小さい領域である第２領域に前記識別情報に対応する１の図柄列で構成された情報を表示する変更表示制御手段」に関して、「第２領域」への表示を、「それぞれの前記識別情報に対応した前記識別情報よりも小さい図柄を１の図柄列で動的表示する」と限定し、補正前の請求項１に記載した発明を特定するために必要な事項である「２以上の異なる前記所定の組み合わせの一部を構成する前記特殊動的表示態様で表示されていた前記識別情報に対応する前記情報を前記第２領域で表示する場合には、前記停止表示または仮停止表示されていた前記２以上の異なる組み合わせの種別が常時識別可能となるように表示される」に関して、その表示を、「前記特殊動的表示態様で停止表示または仮停止表示されていたすべての前記識別情報に対応する図柄をそれぞれ停止表示または仮停止表示させて、他の図柄が動的表示された前記１の図柄列が常時視認可能に表示される」と限定するとともに、上記の補正に対応させて、補正前の請求項１における「前記識別情報に対応する前記情報を前記第２領域で表示する場合には」を「前記識別情報に対応する前記図柄を前記第２領域で表示する場合には」としたものである。
　また、補正前の請求項１に記載された発明と補正後の請求項１に記載される発明の産業上の利用分野及び解決しようとする課題は同一である。
　したがって、本件補正は、特許法第１７条の２第５項第２号の特許請求の範囲の減縮を目的とするものに該当する。
　そして、本件補正は、新規事項を追加するものではない。
３　独立特許要件について
　本件補正後の請求項１に記載された発明（以下「本願補正発明」という。）が特許出願の際独立して特許を受けることができるものであるか（特許法第１７条の２第６項において準用する同法第１２６条第７項の規定に適合するか）について以下に検討する。
（１）本願補正発明
　本願補正発明は、上記１の本件補正の概要において示したとおりのものである。
（２）刊行物
（２−１）刊行物１に記載された発明
　原査定の拒絶の理由に引用文献２として引用され、本願の出願前に頒布された刊行物である特開平１０−２６６号公報（以下「刊行物１」という。）には、図面とともに以下の事項が記載されている（下線は当審で付した。以下同じ。）。  
（１−ａ）　「【請求項１】  複数種類の識別情報を可変表示する可変表示部を複数個配列すると共に、その複数個の可変表示部の表示結果が特定表示結果となったときに特定遊技状態を発生し得る画像表示装置を備えた遊技機において、
特定条件が成立すると、前記複数個の可変表示部を所定の表示位置から移行表示すると共に、その移行表示によって形成された表示領域に所定情報を表示する表示制御手段を備え
（１−ｂ）　「【０００６】なお、図１に示す特別可変表示装置３０により、複数種類の識別情報（特別図柄）を可変表示する可変表示部（特別図柄表示部８０ａ〜８０ｃ）を複数個配列（左・中・右の３列）すると共に、
その複数個の可変表示部の表示結果が特定表示結果（大当り図柄）となったときに特定遊技状態を発生し得る
（１−ｃ）　「【０００９】
【発明の実施の形態】以下、図面を参照して本発明の実施形態について説明する。先ず、図１を参照して実施形態に係る遊技機（図示では
パチンコ遊技機
（１−ｄ）　「【００１４】・・・
次に、本実施形態の要部を構成する
特別可変表示装置３０
ＬＣＤ表示器３３は、その表示画面を左・中・右に３分割した特別図柄表示部８０ａ〜８０ｃを有し、該特別図柄表示部８０ａ〜８０ｃで左・中・右の特別図柄を個々に可変表示するようになっている。
【００１５】以上、特別可変表示装置３０を含むパチンコ遊技機の遊技盤１の構成について説明してきたが、次にパチンコ遊技機の裏面側に設けられる各種構成部材について、図２に示すパチンコ遊技機の背面図、及び図３、図４に示すブロック図を参照して説明する。先ず、図２において、パチンコ遊技機を構成する外枠５０内の裏面側には、そのほぼ中央にＣＰＵ５１ａ、ＲＡＭ５１ｂ、及びＲＯＭ５１ｃを備えて各種遊技動作を制御する主基盤５１が設けられている。この主基盤５１には、主中継基盤５２・５３、ターミナルボックス基板５４、電飾基板５６、賞球基板６４、及びインターフェイス基板７３が接続して設けられている。主中継基盤５２には、図３に示すように、各飾りランプ１９ａ・３８と、普通図柄表示器３４（図３中には、普通図柄表示装置と記載）を構成し且つ普通図柄記憶表示ＬＥＤ３５が接続された普通図柄基板３４ａと、ＣＲＴ表示器３３（図３中には、
特別図柄表示装置及び時短図柄表示装置と記載）を構成する表示制御基板３３ａ
（１−ｅ）　「【００２０】
特別図柄の種類は、図７に示すように、少女Ａ〜少女Ｈのキャラクタが個々に表示される「１」〜「８」の当り図柄、及び「ハート」の絵が表示される外れ図柄の全９種類であり
大当り図柄の配列は、図５（Ｂ）に示す丸１（丸囲みの数字は、「丸×」とする。以下同様）〜丸５の当りラインのいずれかに当り図柄（「１」〜「８」）が揃って表示されたものであり
大当り図柄のうち「３」「５」「７」のいずれかで揃った図柄は確変図柄をなし、前記特定遊技状態の発生に加えて後で詳述する確率変動（以下、これを確変ともいう）を発生する
【００２１】特別可変表示装置３０による具体的な図柄の変動動作は、図１０乃至図１２のタイムチャートに示す通りである。なお、図柄変動には、以下に詳述する各種リーチ変動毎に、１つの当りラインでのみリーチとなるシングルリーチと、同時に２つの当りラインでリーチとなるダブルリーチと、の２種類が存在している。先ず、リーチ以外のときは、図１０に示すように、普通可変入賞球装置４に打玉が入賞して始動玉検出器７が始動信号を導出すると、その始動信号の立ち上がり時に、ＷＣ＿ＲＮＤ１から数値を抽出してこれを格納する。その後、始動信号の立ち上がりより０．００２秒後には、格納したＷＣ＿ＲＮＤ１の読み出し判定を行うと共に、ＷＣ＿ＲＮＤ＿Ｌ・Ｃ・Ｒから数値を抽出する。そして、始動信号の立ち上がりより０．４１２秒後に、
左・中・右の全図柄の変動を開始させる。左図柄は、５．６００秒間の変動後に停止表示され、右図柄は、６．４００〜７．６５０秒間の変動後に停止表示される。そして、最終停止図柄である中図柄は、右図柄の停止から１．０００秒後に停止表示される。
（１−ｆ）　「【００２７】また、リーチ３−１・３−２（リーチパターンＣ）の
ダブルリーチでは、図１７（Ａ）に示すように、２つの当りライン上で同時に左右の図柄が同一図柄で揃うと（同図中には、「８」図柄が丸４の当りラインで揃い、「７」図柄が丸５の当りラインで揃った場合を例示）、リーチ３−１・３−２（シングルリーチ）と同様に、特別図柄表示部８０ａ〜８０ｃの表示領域を表示画面の上半分に縮小し、表示画面の下半分を情報表示部８５とする（図１７（Ｂ）参照）。なお、このとき、左の特別図柄表示部８０ａには、一方のリーチ図柄を構成する「８」図柄を表示する一方、右の特別図柄表示部８０ｃには、他方のリーチ図柄を構成する「７」図柄を表示する。
　上記（１−ａ）〜（１−ｆ）の記載事項及び図面から、以下（１−ｇ）、（１−ｈ）の事項が導かれる。
（１−ｇ）段落【００１４】には、「該特別図柄表示部８０ａ〜８０ｃで左・中・右の特別図柄を個々に可変表示するようになっている。」と記載されており、段落【００２１】には、「左・中・右の全図柄の変動を開始させる。左図柄は、５．６００秒間の変動後に停止表示され、右図柄は、６．４００〜７．６５０秒間の変動後に停止表示される。そして、最終停止図柄である中図柄は、右図柄の停止から１．０００秒後に停止表示される。」と記載されているから、刊行物１には、特別図柄表示部８０ａ〜８０ｃで左・中・右の特別図柄を可変表示し、左・中・右の特別図柄を停止表示する点が記載されているといえる。
　さらに、段落【０００６】には、「その複数個の可変表示部の表示結果が特定表示結果（大当り図柄）となったときに特定遊技状態を発生し得る」と記載されており、当該記載における「その複数個の可変表示部の表示結果」が段落【００２１】の上記記載における「停止表示」された「左図柄」「中図柄」「右図柄」のことを意味することは明らかであるから、刊行物１には、
特別図柄表示部８０ａ〜８０ｃで左・中・右の特別図柄を可変表示し、表示結果が大当り図柄となったときに特定遊技状態を発生し得るように左・中・右の特別図柄を停止表示する
（１−ｈ）段落【００２７】には、「ダブルリーチでは、図１７（Ａ）に示すように、２つの当りライン上で同時に左右の図柄が同一図柄で揃うと（同図中には、「８」図柄が丸４の当りラインで揃い、「７」図柄が丸５の当りラインで揃った場合を例示）、リーチ３−１・３−２（シングルリーチ）と同様に、特別図柄表示部８０ａ〜８０ｃの表示領域を表示画面の上半分に縮小し、表示画面の下半分を情報表示部８５とする（図１７（Ｂ）参照）。なお、このとき、左の特別図柄表示部８０ａには、一方のリーチ図柄を構成する「８」図柄を表示する一方、右の特別図柄表示部８０ｃには、他方のリーチ図柄を構成する「７」図柄を表示する。」と記載されている。また、段落【００２１】には、「左・中・右の全図柄の変動を開始させる。左図柄は、５．６００秒間の変動後に停止表示され、右図柄は、６．４００〜７．６５０秒間の変動後に停止表示される。そして、最終停止図柄である中図柄は、右図柄の停止から１．０００秒後に停止表示される。」と記載されており、「左図柄」が「停止表示」され、「右図柄」が「停止表示」された時に「２つの当りライン上で同時に左右の図柄が同一図柄で揃う」「ダブルリーチ」の状態となることは明らかであるから、刊行物１には、特別図柄表示部８０ａ〜８０ｃで左・中・右の全図柄の変動を開始し、左図柄を停止表示し、右図柄を停止表示し、２つの当りライン上で同時に左右の図柄が同一図柄で揃うダブルリーチとなると、特別図柄表示部８０ａ〜８０ｃの表示領域を表示画面の上半分に縮小し、また、特別図柄表示部８０ａ〜８０ｃの表示領域を表示画面の上半分に縮小したとき、左の特別図柄表示部８０ａには、一方のリーチ図柄を構成する図柄を表示する一方、右の特別図柄表示部８０ｃには、他方のリーチ図柄を構成する図柄を表示する点が記載されているといえる。
　また、【請求項１】には、「特定条件が成立すると、前記複数個の可変表示部を所定の表示位置から移行表示すると共に、その移行表示によって形成された表示領域に所定情報を表示する表示制御手段を備えた」と記載されており、当該記載の「前記複数個の可変表示部を所定の表示位置から移行表示する」ことが、特別図柄表示部８０ａ〜８０ｃの表示領域を表示画面の上半分に縮小して表示することに対応することは明らかであるから、刊行物１には、特別図柄表示部８０ａ〜８０ｃの表示領域を表示画面の上半分に縮小して表示する表示制御手段を備える点が記載されているといえる。
　さらに、段落【００２７】には、「ダブルリーチでは、・・・特別図柄表示部８０ａ〜８０ｃの表示領域を表示画面の上半分に縮小し、表示画面の下半分を情報表示部８５とする（図１７（Ｂ）参照）。」と記載されており、図１７（Ｂ）には、表示画面の上半分において、「少女Ｈ」及び「８」と記載された左側の図柄、下方向への矢印、「少女Ｈ」及び「８」と記載された右側の図柄からなる１の図柄列を表示する点が図示されている。また、下方向への矢印が、可変表示している中図柄を意味することは明らかである。なお、図１７（Ａ）の右上には「少女Ｈ」及び「７」と記載された図柄が、右下には「少女Ｇ」及び「８」と記載された図柄が図示されているが、図７及び段落【００２０】の「特別図柄の種類は、図７に示すように、少女Ａ〜少女Ｈのキャラクタが個々に表示される「１」〜「８」の当り図柄、及び「ハート」の絵が表示される外れ図柄の全９種類であり」との記載より、右上の図柄の「少女Ｈ」が「少女Ｇ」の誤記であり、右下の「少女Ｇ」が「少女Ｈ」の誤記であることは、明らかである。
　したがって、刊行物１には、
特別図柄表示部８０ａ〜８０ｃで左・中・右の全図柄の変動を開始し、左図柄を停止表示し、右図柄を停止表示し、２つの当りライン上で同時に左右の図柄が同一図柄で揃うダブルリーチとなると、特別図柄表示部８０ａ〜８０ｃの表示領域を表示画面の上半分に縮小し１の図柄列で表示する表示制御手段を備え、特別図柄表示部８０ａ〜８０ｃの表示領域を表示画面の上半分に縮小し１の図柄列で表示するとき、左の特別図柄表示部８０ａには、一方のリーチ図柄を構成する図柄を表示する一方、右の特別図柄表示部８０ｃには、他方のリーチ図柄を構成する図柄を表示し、特別図柄表示部８０ｂでは中図柄の可変表示を行う
　上記（１−ａ）〜（１−ｆ）の記載事項及び（１−ｇ）、（１−ｈ）の認定事項を総合すると、刊行物１には、次の発明（以下「刊行物１発明」という。）が記載されていると認められる。（ａ〜ｇは、本願補正発明のＡ〜Ｇに対応させて付した。）
「ａ　ＬＣＤ表示器３３の表示画面の特別図柄表示部８０ａ〜８０ｃで左・中・右の特別図柄を個々に可変表示する特別可変表示装置３０を有し、（段落【００１４】）
ｂ　特別図柄表示部８０ａ〜８０ｃで左・中・右の特別図柄を可変表示し、表示結果が大当り図柄となったときに特定遊技状態を発生し得るように左・中・右の特別図柄を停止表示するものであり、（認定事項（１−ｇ））
ｃ　特別図柄の種類は「１」〜「８」の当り図柄、及び「ハート」の絵が表示される外れ図柄の全９種類であり、大当り図柄の配列は、当りラインのいずれかに当り図柄「１」〜「８」が揃って表示されたものであるパチンコ遊技機において、（段落【０００９】、【００２０】）
ｄ　大当り図柄のうち「３」「５」「７」のいずれかで揃った図柄は確変図柄をなし、特定遊技状態の発生に加えて確率変動を発生するものであり、（段落【００２０】）
ｅ、ｆ、ｇ　特別図柄表示部８０ａ〜８０ｃで左・中・右の全図柄の変動を開始し、左図柄を停止表示し、右図柄を停止表示し、２つの当りライン上で同時に左右の図柄が同一図柄で揃うダブルリーチとなると、特別図柄表示部８０ａ〜８０ｃの表示領域を表示画面の上半分に縮小し１の図柄列で表示する表示制御手段を備え、特別図柄表示部８０ａ〜８０ｃの表示領域を表示画面の上半分に縮小し１の図柄列で表示するとき、左の特別図柄表示部８０ａには、一方のリーチ図柄を構成する図柄を表示する一方、右の特別図柄表示部８０ｃには、他方のリーチ図柄を構成する図柄を表示し、特別図柄表示部８０ｂでは中図柄の可変表示を行う（認定事項（１−ｈ））パチンコ遊技機。」
（２−２）刊行物２に記載された事項
　本願の出願前に頒布された刊行物である特開２０１２−４５３０８号公報（以下「刊行物２」という。）には、図面とともに以下の事項が記載されている（下線は当審で付した。以下同じ。）。
（２−ａ）　「【００１２】
　パチンコ遊技機の遊技盤１０のほぼ中央には、液晶ディスプレイ型の画像表示部ＧＨを有する表示装置としての演出表示装置１１が配設されている。
演出表示装置１１には、複数列（本実施形態では３列）の図柄列を変動させて行う図柄変動ゲームを含み、該ゲームに関連して実行される各種の表示演出が画像表示される。
（２−ｂ）　「【００３６】
　ここで、本実施形態に設定される変動パターンについて図４に従って説明する。
　本実施形態に設定される変動パターンは、４種類に大別することができる。１つ目は、リーチを形成しないはずれ変動用の変動パターンである。２つ目は、１つの数字を付した１つの飾り図柄によって１つのリーチ状態（単数リーチ状態）を形成させる「シングルリーチ（ＳＲ）」系の変動パターンＰ２である。３つ目は、
複数種類（本実施形態では２種類）の数字を付した１つの飾り図柄（グループ（ＧＰ）図柄）によって２つのリーチ状態（複数リーチ状態）を形成させる「ダブルリーチ（ＷＲ）」系の変動パターンＰ３
【００３７】
　前述したように、本実施形態の
パチンコ遊技機
有効ラインが１本形成される
リーチ形成列のうち少なくとも一方に複数種類の数字を付した１つの飾り図柄が停止表示された場合、その他のリーチ形成列に停止表示された図柄に応じて、複数のリーチラインが形成される場合がある（例えば、図６（ｂ））
（２−ｃ）　「【００４０】
　以下、グループ図柄について説明する。
　本実施形態における
グループ図柄は、１つの四角形Ｓに数値の異なる２つの数字を付した構成とされ
　上記（２−ａ）〜（２−ｃ）の記載事項及び図面から、以下（２−ｄ）、（２−ｅ）の事項が導かれる。
（２−ｄ）段落【００１２】には、「複数列（本実施形態では３列）の図柄列を変動させて行う図柄変動ゲームを含み、該ゲームに関連して実行される各種の表示演出が画像表示される。」と記載されているから、刊行物２には、３列の図柄列を変動させて行う図柄変動ゲームの演出を画像表示する点が記載されているといえる。
　また、段落【００３７】には「有効ラインが１本形成される」、「リーチ形成列のうち少なくとも一方に複数種類の数字を付した１つの飾り図柄が停止表示された場合、その他のリーチ形成列に停止表示された図柄に応じて、複数のリーチラインが形成される場合がある（例えば、図６（ｂ））。」、段落【００４０】には「グループ図柄は、１つの四角形Ｓに数値の異なる２つの数字を付した構成とされ」と記載されており、当該記載を参酌すると、図６（ｂ）には、１本形成される有効ラインにおける３列の図柄列のうち、左列及び右列に停止する図柄を、１つの四角形Ｓに数値の異なる２つの数字を付したグループ図柄とし、複数のリーチラインを形成する点が図示されているといえる。
　さらに、段落【００３６】には、「複数種類（本実施形態では２種類）の数字を付した１つの飾り図柄（グループ（ＧＰ）図柄）によって２つのリーチ状態（複数リーチ状態）を形成させる「ダブルリーチ（ＷＲ）」系の変動パターンＰ３」と記載されているから、複数のリーチラインを形成した状態とすることは、２つのリーチ状態を形成するダブルリーチの表示を行うことといえる。
　よって、刊行物１には、
３列の図柄列を変動させて行う図柄変動ゲームの演出を画像表示し、１本形成される有効ラインにおける３列の図柄列のうち、左列及び右列に停止する図柄を、１つの四角形Ｓに数値の異なる２つの数字を付したグループ図柄とし、２つのリーチ状態を形成するダブルリーチの表示を行う
（２−ｅ）図６（ａ）には、左側のグループ図柄における四角形Ｓとグループ図柄でない右側の図柄の四角形Ｓとは略同じ大きさである点、及び、左側のグループ図柄の２つの数字は、グループ図柄でない右側の図柄の数字よりも小さいものとした点が図示されているといえる。
　よって、刊行物１には、
グループ図柄における四角形Ｓは、グループ図柄でない図柄の四角形Ｓと略同じ大きさであり、グループ図柄の２つの数字は、グループ図柄でない図柄の一つの数字よりも小さいものとした
　上記（２−ａ）〜（２−ｃ）の記載事項及び（２−ｄ）、（２−ｅ）の認定事項を総合すると、刊行物２には、次の事項が記載されていると認められる（以下「刊行物２記載の事項」という。）。  
「パチンコ遊技機において、（段落【００３７】）
　３列の図柄列を変動させて行う図柄変動ゲームの演出を画像表示し、１本形成される有効ラインにおける３列の図柄列のうち、左列及び右列に停止する図柄を、１つの四角形Ｓに数値の異なる２つの数字を付したグループ図柄とし、２つのリーチ状態を形成するダブルリーチの表示を行い、（認定事項（２−ｄ））
　グループ図柄における四角形Ｓは、グループ図柄でない図柄の四角形Ｓと略同じ大きさであり、グループ図柄の２つの数字は、グループ図柄でない図柄の一つの数字よりも小さいものとした点。（認定事項（２−ｅ））」
（３）対比
　本願補正発明と刊行物１発明とを対比する（下記の（ａ）〜（ｇ）は、刊行物１発明の構成ａ〜ｇに対応している。）。
（ａ）刊行物１発明の「ＬＣＤ表示器３３の表示画面」は、本願補正発明の「表示領域」に相当する。
　したがって、刊行物１発明における「ＬＣＤ表示器３３の表示画面の特別図柄表示部８０ａ〜８０ｃで左・中・右の特別図柄を個々に可変表示する特別可変表示装置３０」は、本願補正発明における「表示領域を有する表示手段」に相当する。
（ｂ）刊行物１発明において、「特別図柄表示部８０ａ〜８０ｃで左・中・右の特別図柄を可変表示」すること、及び「左・中・右の特別図柄を停止表示する」ことは、それぞれ、本願補正発明において、「所定の動的表示態様で前記表示手段に動的表示」すること、及び、「所定の識別情報を停止表示する」ことに相当する。
　また、刊行物１発明は、「表示結果が大当り図柄となったときに特定遊技状態を発生し得る」ものであり、「表示結果」は「停止表示」された「左・中・右の特別図柄」を意味することは明らかであるから、刊行物１発明における「停止表示」された「左・中・右の特別図柄」の表示態様は、本願補正発明の「判別結果を示す表示態様」に相当する。
　さらに、刊行物１発明は、「特別図柄表示部８０ａ〜８０ｃで左・中・右の特別図柄を可変表示し、表示結果が大当り図柄となったときに特定遊技状態を発生し得るように左・中・右の特別図柄を停止表示する」ものであるから、「特別図柄表示部８０ａ〜８０ｃで左・中・右の特別図柄を可変表示し、表示結果が大当り図柄となったときに特定遊技状態を発生し得るように左・中・右の特別図柄を停止表示する」機能を有する手段、すなわち、表示制御手段を備えていることは明らかである。
　したがって、刊行物１発明において、「特別図柄表示部８０ａ〜８０ｃで左・中・右の特別図柄を可変表示し、表示結果が大当り図柄となったときに特定遊技状態を発生し得るように左・中・右の特別図柄を停止表示するものであ」ることは、本願補正発明における「所定の動的表示態様で前記表示手段に動的表示した後、判別結果を示す表示態様で所定の識別情報を停止表示する表示制御手段」を有することに相当する。
（ｃ）刊行物１発明の「図柄」及び「パチンコ遊技機」は、それぞれ、本願補正発明の「識別情報」及び「遊技機」に相当する。また、刊行物１発明の「特別図柄」は、「「１」〜「８」の当り図柄、及び「ハート」の絵が表示される外れ図柄の全９種類」を備えるから、刊行物１発明の「特別図柄」は異なる複数の識別情報を有するものといえ、刊行物１発明は、「当りラインのいずれかに当り図柄「１」〜「８」が揃って表示されたもの」が「大当り図柄の配列」となるから、「当りラインのいずれか」における異なる複数の「図柄」の組み合わせにより「大当り図柄の配列」となるか否かの判別結果を報知するものといえる。
　また、刊行物１発明において「特定遊技状態を発生」（構成ｂ）することは、本願補正発明における「遊技者に特典を付与する」ことに相当し、刊行物１発明において、表示結果が「大当り図柄の配列」となると、「特定遊技状態を発生」（構成ｂ）するから、刊行物１発明の「大当り図柄の配列」となった場合は、本願補正発明の「前記識別情報の組み合わせが所定の組み合わせとなった場合」に相当し、また、刊行物１発明において「大当り図柄の配列」となった場合には、「特定遊技状態を発生」する、すなわち、「遊技者に特典を付与する」といえる。
　したがって、刊行物１発明における「特別図柄の種類は「１」〜「８」の当り図柄、及び「ハート」の絵が表示される外れ図柄の全９種類であり、大当り図柄の配列は、当りラインのいずれかに当り図柄「１」〜「８」が揃って表示されたものであるパチンコ遊技機」は、本願補正発明における「異なる複数の前記識別情報を組み合わせることにより前記判別結果を報知し、前記識別情報の組み合わせが所定の組み合わせとなった場合に遊技者に特典を付与する遊技機」に相当する。
（ｄ）刊行物１発明は、「当り図柄「１」〜「８」が揃って表示された」「大当り図柄の配列」（構成ｃ）を有するから、「大当り図柄の配列」として、８つの複数の異なる組み合わせが設定されているといえる。また、刊行物１発明は、「大当り図柄のうち「３」「５」「７」のいずれかで揃った図柄は確変図柄をなし、特定遊技状態の発生に加えて確率変動を発生する」から、「当り図柄「１」〜「８」が揃って表示された」「大当り図柄の配列」（構成ｃ）のうち、「「大当り図柄のうち「３」「５」「７」のいずれかで揃った図柄」以外の大当り図柄は、「確変図柄」ではなく、「特定遊技状態の発生に加えて確率変動を発生」しないことは、明らかである。そして、「確率変動を発生」する大当りが、「確率変動を発生」しない大当たりよりも遊技者に有利となることは明らかであるから、刊行物１発明において、「当り図柄「１」〜「８」が揃って表示された」「大当り図柄の配列」（構成ｃ）のうち、「「大当り図柄のうち「３」「５」「７」のいずれかで揃った図柄」以外の大当り図柄の配列、及び、「「大当り図柄のうち「３」「５」「７」のいずれかで揃った図柄」の配列は、それぞれ、本願補正発明の「前記特典として第１特典が付与される組み合わせ」及び「前記第１特典よりも遊技者に有利となる第２特典が付与される組み合わせ」に相当する。
　したがって、刊行物１発明における「大当り図柄のうち「３」「５」「７」のいずれかで揃った図柄は確変図柄をなし、特定遊技状態の発生に加えて確率変動を発生する」ことは、本願補正発明における「前記所定の組み合わせは、前記特典として第１特典が付与される組み合わせと、前記第１特典よりも遊技者に有利となる第２特典が付与される組み合わせとを含む複数の異なる組み合わせが設定されて」いることに相当する。
 
（ｅ）刊行物１発明において、「特別図柄表示部８０ａ〜８０ｃで左・中・右の全図柄の変動を開始し」てから、「左図柄を停止表示し、右図柄を停止表示し、２つの当りライン上で同時に左右の図柄が同一図柄で揃うダブルリーチとなる」までの期間は、本願補正発明における「第１期間」に相当し、刊行物１発明において、当該期間における「特別図柄表示部８０ａ〜８０ｃ」の領域は、本願補正発明の「第１領域」に相当する。また、刊行物１発明において「特別図柄表示部８０ａ〜８０ｃで左・中・右の全図柄の変動を開始し」てから、「左図柄を停止表示し、右図柄を停止表示」するまでの期間は、「特別図柄表示部８０ａ〜８０ｃ」で「左・中・右の全図柄の変動」を行うから、本願補正発明と同様に「前記表示領域の第１領域にて前記識別情報を前記所定の動的表示態様で動的表示」するといえる。
　刊行物１発明において、「２つの当りライン上で同時に左右の図柄が同一図柄で揃うダブルリーチとな」ってから、「左・中・右の特別図柄を停止表示」（構成ｂ）までの期間は、本願補正発明の「第２期間」に相当し、刊行物１発明において、「表示画面の上半分に縮小」した「特別図柄表示部８０ａ〜８０ｃの表示領域」は、本願補正発明における「前記表示領域の前記第１領域よりも小さい領域である第２領域」に相当する。また、刊行物１発明において、「左の特別図柄表示部８０ａ」に表示される「一方のリーチ図柄を構成する図柄」及び「右の特別図柄表示部８０ｃ」に表示される「他方のリーチ図柄を構成する図柄」は、本願補正発明における「２つの当りライン」における２つの「図柄」に対応した図柄であるといえ、刊行物１発明において「１の図柄列で表示」し、「特別図柄表示部８０ｂでは中図柄の可変表示を行う」ことは、本願補正発明において「１の図柄列で動的表示する」ことに相当する。そして、刊行物１発明の「表示制御手段」は、本願補正発明の「変更表示制御手段」に相当する。
　したがって、刊行物１発明の「特別図柄表示部８０ａ〜８０ｃで左・中・右の全図柄の変動を開始し、左図柄を停止表示し、右図柄を停止表示し、２つの当りライン上で同時に左右の図柄が同一図柄で揃うダブルリーチとなると、特別図柄表示部８０ａ〜８０ｃの表示領域を表示画面の上半分に縮小し１の図柄列で表示する表示制御手段」は、本願補正発明の「第１期間であれば、前記表示領域の第１領域にて前記識別情報を前記所定の動的表示態様で動的表示し、第２期間であれば、前記表示領域の前記第１領域よりも小さい領域である第２領域にそれぞれの前記識別情報に対応した前記識別情報よりも小さい図柄を１の図柄列で動的表示する変更表示制御手段」と、「第１期間であれば、前記表示領域の第１領域にて前記識別情報を前記所定の動的表示態様で動的表示し、第２期間であれば、前記表示領域の前記第１領域よりも小さい領域である第２領域にそれぞれの前記識別情報に対応した」「図柄を１の図柄列で動的表示する変更表示制御手段」である点で共通する。
（ｆ）刊行物１発明の「リーチ図柄を構成する図柄」は、本願補正発明の「前記所定の組み合わせの一部を構成する前記識別情報」に相当する。また、刊行物１発明において「特別図柄表示部８０ｂでは中図柄の可変表示を行う」ことは、本願補正発明の「他の前記識別情報が動的表示される」に相当する。よって、刊行物１発明において、「左の特別図柄表示部８０ａには、一方のリーチ図柄を構成する図柄を表示する一方、右の特別図柄表示部８０ｃには、他方のリーチ図柄を構成する図柄を表示し、特別図柄表示部８０ｂでは中図柄の可変表示を行う」ことは、本願補正発明における「前記所定の組み合わせの一部を構成する前記識別情報が停止表示または仮停止表示された状態で、他の前記識別情報が動的表示される特殊動的表示態様を表示する」ことに相当する。
　また、刊行物１発明は、「特別図柄表示部８０ａ〜８０ｃの表示領域を表示画面の上半分に縮小し１の図柄列で表示するとき、左の特別図柄表示部８０ａには、一方のリーチ図柄を構成する図柄を表示する一方、右の特別図柄表示部８０ｃには、他方のリーチ図柄を構成する図柄を表示し、特別図柄表示部８０ｂでは中図柄の可変表示を行う」から、当該表示を行うための手段、すなわち、動的表示態様表示制御手段を備えていることは明らかである。
　したがって、刊行物１発明において「特別図柄表示部８０ａ〜８０ｃの表示領域を表示画面の上半分に縮小し１の図柄列で表示するとき、左の特別図柄表示部８０ａには、一方のリーチ図柄を構成する図柄を表示する一方、右の特別図柄表示部８０ｃには、他方のリーチ図柄を構成する図柄を表示し、特別図柄表示部８０ｂでは中図柄の可変表示を行う」ことは、本願補正発明の構成Ｇと、「前記所定の組み合わせの一部を構成する前記識別情報が停止表示または仮停止表示された状態で、他の前記識別情報が動的表示される特殊動的表示態様を表示する動的表示態様表示制御手段」を有する点で共通する。
（ｇ）刊行物１発明において、「２つの当りライン上で同時に左右の図柄が同一図柄で揃うダブルリーチとなる」際の、「２つの当りライン上」における「同一図柄で揃」った「左右の図柄」は、本願補正発明における、「２以上の異なる所定の組み合わせの一部を構成する」「識別情報」であるといえる。
　また、刊行物１発明において、「特別図柄表示部８０ａ〜８０ｃの表示領域を表示画面の上半分に縮小し１の図柄列で表示」する際に、「左の特別図柄表示部８０ａ」に表示される「一方のリーチ図柄を構成する図柄」は、「２つの当りライン上で同時に左右の図柄が同一図柄で揃うダブルリーチとなる」際の、「２つの当りライン上」における一方の「当りライン上」の「同一図柄で揃」った２つの「左右の図柄」に対応する図柄であるといえ、「右の特別図柄表示部８０ｃ」に表示される「他方のリーチ図柄を構成する図柄」は、「２つの当りライン上で同時に左右の図柄が同一図柄で揃うダブルリーチとなる」際の、「２つの当りライン上」における他方の「当りライン上」の「同一図柄で揃」った２つの「左右の図柄」に対応する図柄であるといえる。
　よって、刊行物１発明において、「表示画面の上半分に縮小」した「表示領域」（第２領域）の「左の特別図柄表示部８０ａ」に表示される「一方のリーチ図柄を構成する図柄」及び「右の特別図柄表示部８０ｃ」に表示される「他方のリーチ図柄を構成する図柄」は、それぞれ、本願補正発明の「２以上の異なる前記所定の組み合わせの一部を構成する前記特殊動的表示態様で表示されていた前記識別情報に対応する前記図柄」に相当し、また、「２つの当りライン上で同時に左右の図柄が同一図柄で揃うダブルリーチとなる」際の、「２つの当りライン上」の「同一図柄で揃」った「左右の図柄」を形成する４つの図柄に対応する図柄であるから、本願補正発明の「すべての前記識別情報に対応する図柄」に相当する。
　また、刊行物１発明においては、「一方のリーチ図柄を構成する図柄」及び「他方のリーチ図柄を構成する図柄」が同時に表示され、常時視認可能であることは明らかであるから、本願補正発明と同様に「前記停止表示または仮停止表示されていた前記２以上の異なる組み合わせの種別が常時識別可能となる」といえる。
　そして、刊行物１発明において、「特別図柄表示部８０ａ〜８０ｃの表示領域を表示画面の上半分に縮小し１の図柄列で表示」したときに、「左の特別図柄表示部８０ａには、一方のリーチ図柄を構成する図柄を表示する一方、右の特別図柄表示部８０ｃには、他方のリーチ図柄を構成する図柄を表示し、特別図柄表示部８０ｂでは中図柄の可変表示を行う」ことは、本願補正発明において、「前記特殊動的表示態様で停止表示」されていた「すべての前記識別情報に対応する図柄をそれぞれ停止表示」「させて、他の図柄が動的表示された前記１の図柄列が常時視認可能に表示される」ことに相当する。
　したがって、刊行物１発明において、「特別図柄表示部８０ａ〜８０ｃで左・中・右の全図柄の変動を開始し、左図柄を停止表示し、右図柄を停止表示し、２つの当りライン上で同時に左右の図柄が同一図柄で揃うダブルリーチとなると、特別図柄表示部８０ａ〜８０ｃの表示領域を表示画面の上半分に縮小し１の図柄列で表示する表示制御手段を備え、特別図柄表示部８０ａ〜８０ｃの表示領域を表示画面の上半分に縮小し１の図柄列で表示するとき、左の特別図柄表示部８０ａには、一方のリーチ図柄を構成する図柄を表示する一方、右の特別図柄表示部８０ｃには、他方のリーチ図柄を構成する図柄を表示し、特別図柄表示部８０ｂでは中図柄の可変表示を行う」ことは、本願補正発明における「２以上の異なる前記所定の組み合わせの一部を構成する前記特殊動的表示態様で表示されていた前記識別情報に対応する前記図柄を前記第２領域で表示する場合には、前記停止表示または仮停止表示されていた前記２以上の異なる組み合わせの種別が常時識別可能となるように前記特殊動的表示態様で停止表示または仮停止表示されていたすべての前記識別情報に対応する図柄をそれぞれ停止表示または仮停止表示させて、他の図柄が動的表示された前記１の図柄列が常時視認可能に表示されるものである」ことに相当する。
　以上、（ａ）〜（ｇ）の対比より、本願補正発明と刊行物１発明とは、
「Ａ　表示領域を有する表示手段と、
Ｂ　所定の動的表示態様で前記表示手段に動的表示した後、判別結果を示す表示態様で所定の識別情報を停止表示する表示制御手段と、を有し、
Ｃ　異なる複数の前記識別情報を組み合わせることにより前記判別結果を報知し、前記識別情報の組み合わせが所定の組み合わせとなった場合に遊技者に特典を付与する遊技機において、
Ｄ　前記所定の組み合わせは、前記特典として第１特典が付与される組み合わせと、前記第１特典よりも遊技者に有利となる第２特典が付与される組み合わせとを含む複数の異なる組み合わせが設定されており、
Ｅ’第１期間であれば、前記表示領域の第１領域にて前記識別情報を前記所定の動的表示態様で動的表示し、第２期間であれば、前記表示領域の前記第１領域よりも小さい領域である第２領域にそれぞれの前記識別情報に対応した図柄を１の図柄列で動的表示する変更表示制御手段と、
Ｆ’前記所定の組み合わせの一部を構成する前記識別情報が停止表示または仮停止表示された状態で、他の前記識別情報が動的表示される特殊動的表示態様を表示する動的表示態様表示制御手段と、を有し、
Ｇ　２以上の異なる前記所定の組み合わせの一部を構成する前記特殊動的表示態様で表示されていた前記識別情報に対応する前記図柄を前記第２領域で表示する場合には、前記停止表示または仮停止表示されていた前記２以上の異なる組み合わせの種別が常時識別可能となるように前記特殊動的表示態様で停止表示または仮停止表示されていたすべての前記識別情報に対応する図柄をそれぞれ停止表示または仮停止表示させて、他の図柄が動的表示された前記１の図柄列が常時視認可能に表示されるものである遊技機。」
である点で一致し、以下の点で相違する。
（相違点１）構成Ｅに関して、「第２領域に」「１の図柄列で動的表示する」図柄について、本願補正発明は、「それぞれの前記識別情報に対応した前記識別情報よりも小さい図柄」であると特定されているのに対し、刊行物１発明は、「一方のリーチ図柄を構成する図柄」及び「他方のリーチ図柄を構成する図柄」（それぞれの識別情報に対応した図柄）を、「識別情報よりも小さい図柄」とするとは特定されていない点。
（相違点２）構成Ｅ、Ｆに関して、「変更表示制御手段」及び「動的表示態様表示制御手段」を、本願補正発明は、「前記表示制御手段」が有すると特定されているのに対し、刊行物１発明はそのように特定されていない点。
（４）判断
ア　相違点１について
　上記相違点１について検討する。
　上記（２）（２−２）で示した通り、刊行物２には、次の事項（刊行物２記載の事項）が記載されていると認められる。
「パチンコ遊技機において、（段落【００３７】）
　３列の図柄列を変動させて行う図柄変動ゲームの演出を画像表示し、１本形成される有効ラインにおける３列の図柄列のうち、左列及び右列に停止する図柄を、１つの四角形Ｓに数値の異なる２つの数字を付したグループ図柄とし、２つのリーチ状態を形成するダブルリーチの表示を行い、（認定事項（２−ｄ））
　グループ図柄における四角形Ｓは、グループ図柄でない図柄の四角形Ｓと略同じ大きさであり、グループ図柄の２つの数字は、グループ図柄でない図柄の一つの数字よりも小さいものとした点。（認定事項（２−ｅ））」
　刊行物２記載の事項において、「１つの四角形Ｓに数値の異なる２つの数字を付したグループ図柄」における「四角形Ｓ」は、「グループ図柄でない図柄の四角形Ｓと略同じ大きさ」であるから、「四角形Ｓ」における「異なる２つの数字」にそれぞれ対応する図柄部分は、「グループ図柄でない図柄の四角形Ｓ」の略半分程度の小さいものであるといえる。さらに、「グループ図柄の２つの数字は、グループ図柄でない図柄の一つの数字よりも小さい」ことからも、「グループ図柄」における「異なる２つの数字」にそれぞれ対応する図柄部分は、「グループ図柄でない図柄」よりも小さい図柄であるといえる。
　また、刊行物２記載の事項において、「２つのリーチ状態を形成するダブルリーチの表示を行」う場合、「左列及び右列に停止する図柄を、１つの四角形Ｓに数値の異なる２つの数字を付したグループ図柄」とした際には、「左列及び右列に停止する」「グループ図柄」により、「ダブルリーチ」を構成する４つの識別情報（ダブルリーチを構成する２つの数字について、それぞれ左右のグループ図柄に表示された数字）のすべてに対応する図柄をそれぞれ停止表示させた状態となるといえる。
　そして、刊行物１発明と刊行物２記載の事項とは、ダブルリーチを１本のラインとして表示する点で共通するものであるから、刊行物１発明において、刊行物２記載の事項を適用し、「左の特別図柄表示部８０ａには、一方のリーチ図柄を構成する図柄を表示する一方、右の特別図柄表示部８０ｃには、他方のリーチ図柄を構成する図柄を表示」することに代えて、「左の特別図柄表示部８０ａ」及び「右の特別図柄表示部８０ｃ」に、異なる２つの数字が付され、２つの数字に対応する部分が小さい図柄を表示し、上記相違点１に係る本願補正発明の構成とすることは、当業者が容易に想到し得ることである。
イ　相違点２について
　上記相違点２について検討する。
　遊技機において、表示手段における表示の制御を一つの制御手段により実行させることは、一般的に行われている事項にすぎない。そして、刊行物１発明においては、「特別図柄表示部８０ａ〜８０ｃで左・中・右の特別図柄を可変表示し、表示結果が大当り図柄となったときに特定遊技状態を発生し得るように左・中・右の特別図柄を停止表示する」ための手段（表示制御手段）、「特別図柄表示部８０ａ〜８０ｃで左・中・右の全図柄の変動を開始し、左図柄を停止表示し、右図柄を停止表示し、２つの当りライン上で同時に左右の図柄が同一図柄で揃うダブルリーチとなると、特別図柄表示部８０ａ〜８０ｃの表示領域を表示画面の上半分に縮小し１の図柄列で表示する表示制御手段」（変更表示制御手段）、及び、「特別図柄表示部８０ａ〜８０ｃの表示領域を表示画面の上半分に縮小し１の図柄列で表示するとき、左の特別図柄表示部８０ａには、一方のリーチ図柄を構成する図柄を表示する一方、右の特別図柄表示部８０ｃには、他方のリーチ図柄を構成する図柄を表示し、特別図柄表示部８０ｂでは中図柄の可変表示を行う」手段（動的表示態様表示制御手段）を具体的にどのような手段により構成するかは特定されていないが、例えば段落【００１５】に記載の「表示制御基板３３ａ」のような一つの手段が構成するものとして、表示制御手段が変更表示制御手段と動的表示態様表示制御手段とを有する構成とし、上記相違点２に係る本願補正発明の構成とすることは、当業者が容易に想到し得ることである。
（５）請求人の主張について
　請求人は、審判請求書の【請求の理由】、「３．（６）において、「また、引用文献２には、ダブルリーチで表示されていた表示態様の半分が演出で使用されて、ダブルリーチ表示態様のうち、それぞれのリーチ表示態様の１の図柄が左右に並べて停止表示された状態で表示されて、ダブルリーチで表示されていた図柄の種別のみが識別可能に小さい表示領域で表示されることが記載されています。 
 このように、引用文献１および２には、複数の図柄列で表示されていたダブルリーチ表示態様を１の図柄列で、停止表示または仮停止表示されていたすべての識別情報に対応する図柄が停止表示または仮停止表示されるように構成することについては記載されておらず、ダブルリーチ表示態様が継続していることを遊技者に安心して報知するためには、引用文献１のように、図柄を並列に並べて複数ラインで表示することのみが記載されています。
　・・・ 
　このように、引用文献１および２は、本願請求項１，２が有する上記特徴的構成（Ａ），（Ｂ）を有しておらず、また、本願請求項１，２に係る発明が奏する上記格別の効果を奏することもできません。従って、本願請求項１，２は、引用文献１および２に記載された発明ではなく、引用文献１および２に記載された発明に基づいて当業者が容易に発明することができたものでもないので、本願請求項１，２は、特許法第２９条第２項の規定に該当しません。」との主張をしている（上記の主張における「引用文献１および２」は、それぞれ、特開平１０−１７９８６４号公報及び上記刊行物１を意味する。）。
　しかしながら、上記「（３）（ｇ）」で示したとおり、刊行物１には、「本願補正発明における「２以上の異なる前記所定の組み合わせの一部を構成する前記特殊動的表示態様で表示されていた前記識別情報に対応する前記図柄を前記第２領域で表示する場合には、前記停止表示または仮停止表示されていた前記２以上の異なる組み合わせの種別が常時識別可能となるように前記特殊動的表示態様で停止表示または仮停止表示されていたすべての前記識別情報に対応する図柄をそれぞれ停止表示または仮停止表示させて、他の図柄が動的表示された前記１の図柄列が常時視認可能に表示されるものである」ことに相当する構成が記載されているといえるから、請求人の上記主張は採用することができない。
　なお、仮に、本願補正発明において「前記特殊動的表示態様で停止表示または仮停止表示されていたすべての前記識別情報に対応する図柄をそれぞれ停止表示または仮停止表示」させることを、「前記特殊動的表示態様で停止表示または仮停止表示されていたすべての前記識別情報」に１対１で対応し、「前記識別情報」と同数の「図柄をそれぞれ停止表示または仮停止表示」させることを意味する（例えばダブルリーチの場合、ダブルリーチを構成するすべてである４つの図柄に１対１で対応する４つの図柄を停止表示または仮停止表示させるようなことを意味する）と解釈し得たとしても、そのような形態は、刊行物２に記載されているから、刊行物１発明に刊行物２記載の事項を適用して当業者が容易に想到し得たことといえる。
（６）まとめ
　以上のように、本願補正発明は、当業者が刊行物１発明及び刊行物２記載の事項に基づいて容易に発明をすることができたものであるから、特許法第２９条第２項の規定により、特許出願の際独立して特許を受けることができない。
４ 補正却下の決定についてのむすび
　したがって、本件補正は、特許法第１７条の２第６項において準用する同法第１２６条第７項の規定に違反するので、同法第１５９条第１項において読み替えて準用する同法第５３条第１項の規定により却下すべきものである。
第３　本願発明について
１　本願発明
　本件補正は上記のとおり却下されたので、本願の請求項に係る発明は、平成２８年１０月１１日付けの手続補正書により補正された特許請求の範囲に記載されたとおりのものであり、その請求項１に係る発明（以下「本願発明」という。）は次のとおりである（Ａ〜Ｇは、分説するために当審にて付した。）。
「【請求項１】
Ａ　表示領域を有する表示手段と、
Ｂ　所定の動的表示態様で前記表示手段に動的表示した後、判別結果を示す表示態様で所定の識別情報を停止表示する表示制御手段と、を有し、
Ｃ　異なる複数の前記識別情報を組み合わせることにより前記判別結果を報知し、前記識別情報の組み合わせが所定の組み合わせとなった場合に遊技者に特典を付与する遊技機において、
Ｄ　前記所定の組み合わせは、前記特典として第１特典が付与される組み合わせと、前記第１特典よりも遊技者に有利となる第２特典が付与される組み合わせとを含む複数の異なる組み合わせが設定されており、
Ｅ”前記表示制御手段は、
　　第１期間であれば、前記表示領域の第１領域にて前記識別情報を前記所定の動的表示態様で動的表示し、第２期間であれば、前記表示領域の前記第１領域よりも小さい領域である第２領域に前記識別情報に対応する１の図柄列で構成された情報を表示する変更表示制御手段と、
Ｆ　前記所定の組み合わせの一部を構成する前記識別情報が停止表示または仮停止表示された状態で、他の前記識別情報が動的表示される特殊動的表示態様を表示する動的表示態様表示制御手段と、を有し、
Ｇ”２以上の異なる前記所定の組み合わせの一部を構成する前記特殊動的表示態様で表示されていた前記識別情報に対応する前記情報を前記第２領域で表示する場合には、前記停止表示または仮停止表示されていた前記２以上の異なる組み合わせの種別が常時識別可能となるように表示されるものであることを特徴とする遊技機。」
２　刊行物
　刊行物１及びその記載事項並びに刊行物１発明は、上記「第２　３（２）（２−１）」に記載したとおりである。
３　対比・判断
　本願発明と刊行物１発明とを対比する。
　本願発明における構成Ａ、Ｂ、Ｃ、Ｄ、Ｆと刊行物１発明における構成ａ、ｂ、ｃ、ｄ、ｆとの対比については、上記「第２　３（３）」において検討したとおりである。
（ｅ）刊行物１発明において、「特別図柄表示部８０ａ〜８０ｃで左・中・右の全図柄の変動を開始し」てから、「左図柄を停止表示し、右図柄を停止表示し、２つの当りライン上で同時に左右の図柄が同一図柄で揃うダブルリーチとなる」までの期間は、本願発明における「第１期間」に相当し、刊行物１発明において、当該期間における「特別図柄表示部８０ａ〜８０ｃ」の領域は、本願発明の「第１領域」に相当する。また、刊行物１発明において「特別図柄表示部８０ａ〜８０ｃで左・中・右の全図柄の変動を開始し」てから、「左図柄を停止表示し、右図柄を停止表示」するまでの期間は、「特別図柄表示部８０ａ〜８０ｃ」で「左・中・右の全図柄の変動」を行うから、本願発明と同様に「前記表示領域の第１領域にて前記識別情報を前記所定の動的表示態様で動的表示」するといえる。
　刊行物１発明において、「２つの当りライン上で同時に左右の図柄が同一図柄で揃うダブルリーチとな」ってから、「左・中・右の特別図柄を停止表示」（構成ｂ）までの期間は、本願発明の「第２期間」に相当し、刊行物１発明において、「表示画面の上半分に縮小」した「特別図柄表示部８０ａ〜８０ｃの表示領域」は、本願発明における「前記表示領域の前記第１領域よりも小さい領域である第２領域」に相当する。また、刊行物１発明において、「左の特別図柄表示部８０ａ」に表示される「一方のリーチ図柄を構成する図柄」及び「右の特別図柄表示部８０ｃ」に表示される「他方のリーチ図柄を構成する図柄」は、本願発明における「２つの当りライン」における２つの「図柄」に対応した図柄であるといえ、刊行物１発明において「１の図柄列で表示」することは、本願発明において「１の図柄列で構成された情報を表示する」ことに相当する。そして、刊行物１発明の「表示制御手段」は、本願発明の「変更表示制御手段」に相当する。
　したがって、刊行物１発明において「特別図柄表示部８０ａ〜８０ｃで左・中・右の全図柄の変動を開始し、左図柄を停止表示し、右図柄を停止表示し、２つの当りライン上で同時に左右の図柄が同一図柄で揃うダブルリーチとなると、特別図柄表示部８０ａ〜８０ｃの表示領域を表示画面の上半分に縮小し１の図柄列で表示する表示制御手段を備え」ることは、本願発明の構成Ｅ”と、「前記所定の組み合わせの一部を構成する前記識別情報が停止表示または仮停止表示された状態で、他の前記識別情報が動的表示される特殊動的表示態様を表示する動的表示態様表示制御手段」を有する点で共通する。
（ｇ）刊行物１発明において、「２つの当りライン上で同時に左右の図柄が同一図柄で揃うダブルリーチとなる」際の、「２つの当りライン上」における「同一図柄で揃」った「左右の図柄」は、本願発明における、「２以上の異なる所定の組み合わせの一部」を構成する「識別情報」であるといえる。そして、刊行物１発明において、「表示画面の上半分に縮小」した「表示領域」（第２領域）の「左の特別図柄表示部８０ａ」に表示される「一方のリーチ図柄を構成する図柄」、及び、「右の特別図柄表示部８０ｃ」に表示される「他方のリーチ図柄を構成する図柄」は、「２以上の異なる前記所定の組み合わせの一部を構成する前記特殊動的表示態様で表示されていた前記識別情報に対応する前記情報」に相当し、また、刊行物１発明においては、「一方のリーチ図柄を構成する図柄」及び「他方のリーチ図柄を構成する図柄」が同時に表示され、常時視認可能であることは明らかであるから、本願発明と同様に「前記停止表示または仮停止表示されていた前記２以上の異なる組み合わせの種別が常時識別可能となる」といえる。
　したがって、刊行物１発明において、「特別図柄表示部８０ａ〜８０ｃで左・中・右の全図柄の変動を開始し、左図柄を停止表示し、右図柄を停止表示し、２つの当りライン上で同時に左右の図柄が同一図柄で揃うダブルリーチとなると、特別図柄表示部８０ａ〜８０ｃの表示領域を表示画面の上半分に縮小し１の図柄列で表示する表示制御手段を備え、特別図柄表示部８０ａ〜８０ｃの表示領域を表示画面の上半分に縮小し１の図柄列で表示するとき、左の特別図柄表示部８０ａには、一方のリーチ図柄を構成する図柄を表示する一方、右の特別図柄表示部８０ｃには、他方のリーチ図柄を構成する図柄を表示し、特別図柄表示部８０ｂでは中図柄の可変表示を行う」ことは、本願発明において、「２以上の異なる前記所定の組み合わせの一部を構成する前記特殊動的表示態様で表示されていた前記識別情報に対応する前記情報を前記第２領域で表示する場合には、前記停止表示または仮停止表示されていた前記２以上の異なる組み合わせの種別が常時識別可能となるように表示される」ことに相当する。
　以上の対比より、本願発明と刊行物１発明とは、
「Ａ　表示領域を有する表示手段と、
Ｂ　所定の動的表示態様で前記表示手段に動的表示した後、判別結果を示す表示態様で所定の識別情報を停止表示する表示制御手段と、を有し、
Ｃ　異なる複数の前記識別情報を組み合わせることにより前記判別結果を報知し、前記識別情報の組み合わせが所定の組み合わせとなった場合に遊技者に特典を付与する遊技機において、
Ｄ　前記所定の組み合わせは、前記特典として第１特典が付与される組み合わせと、前記第１特典よりも遊技者に有利となる第２特典が付与される組み合わせとを含む複数の異なる組み合わせが設定されており、
Ｅ”’第１期間であれば、前記表示領域の第１領域にて前記識別情報を前記所定の動的表示態様で動的表示し、第２期間であれば、前記表示領域の前記第１領域よりも小さい領域である第２領域に前記識別情報に対応する１の図柄列で構成された情報を表示する変更表示制御手段と、
Ｆ’前記所定の組み合わせの一部を構成する前記識別情報が停止表示または仮停止表示された状態で、他の前記識別情報が動的表示される特殊動的表示態様を表示する動的表示態様表示制御手段と、を有し、
Ｇ”２以上の異なる前記所定の組み合わせの一部を構成する前記特殊動的表示態様で表示されていた前記識別情報に対応する前記情報を前記第２領域で表示する場合には、前記停止表示または仮停止表示されていた前記２以上の異なる組み合わせの種別が常時識別可能となるように表示される遊技機。」
である点で一致し、以下の点で相違する。
（相違点３）構成Ｅ”、Ｆに関して、「変更表示制御手段」及び「動的表示態様表示制御手段」を、本願発明は、「前記表示制御手段」が有すると特定されているのに対し、刊行物１発明はそのように特定されていない点。
　そして、上記相違点３は、上記相違点２と同様のものであり、上記「第２　３（４）イ」で検討したとおりであるから、刊行物１発明において、上記相違点３に係る本願発明の構成とすることは、当業者が容易に想到し得たことである。
　したがって、本願発明は当業者が刊行物１発明に基づいて容易に発明をすることができたものである。
４　むすび
　以上のとおりであるから、本願発明は、特許法第２９条第２項の規定により特許を受けることができない。
　したがって、本願は、拒絶されるべきものである。
　よって、結論のとおり審決する。